(57)【要約】【課題】  保温・保冷機能を備え、一見してどの容器に何が入っているかが判別でき、複数の容器が合体・分離可能な携帯飲料用容器を提供することを目的とする。【解決手段】  容器１０１Ａと１０１Ｂとは合体・分離が可能であり、保持部材２００を取り外すことで分離させることができる。また、容器１０１Ａと１０１Ｂとを合体させる場合には、容器１０１Ａと１０１Ｂとの合体面１０５Ａと１０５Ｂとを合わせ、保持部材２００を嵌めることで容器１０１Ａと１０１Ｂとを保持する。【選択図】  図１
2008150056.tif 000002
【特許請求の範囲】
【請求項１】
複数の容器に飲料用の液体を収容した携帯可能に構成した携帯飲料用容器であって、
前記複数の容器を組み合わせたとき、略円柱形状を形成するとともに、該略円柱形状上部に螺合部を形成する容器本体部と、
該複数の容器を組み合わせたとき該螺合部に螺合する溝を有する蓋部と、
から構成されることを特徴とする携帯飲料用容器。
【請求項２】
前記容器本体は、液体を収容する内容器と、
該内容器を保持する外容器とからなり、
該内容器と該外容器との間に真空空間を有することを特徴とする請求項１記載の携帯飲料用容器。
【請求項３】
前記複数の容器を組み合わせた際の組み合わせ面は互いに磁着されるように構成されていることを特徴とする請求項１または２記載の携帯飲料用容器。
【請求項４】
前記螺合部は、透明部材で形成されていることを特徴とする請求項１から３のいずれか１項に記載の携帯飲料用容器。
【請求項５】
前記複数の容器は、各々が色分けされていることを特徴とする請求項１から４のいずれか１項に記載の携帯飲料用容器。
【請求項６】
前記容器本体の下部には、各容器の保温・保冷の切り替えが可能な保温・保冷装置が取り付けられていることを特徴とする請求項１から５のいずれか１項に記載の携帯飲料用容器。
【請求項７】
前記保温・保冷装置は、
内部中央付近に断熱部材を配置し、該断熱部材の両側に保温保冷器が配置されていることを特徴とする請求項６記載の携帯飲料用容器。
【請求項８】
前記保温保冷器は、
吸熱または放熱を行う保温保冷部材と、
前記保温保冷部材が行う吸熱または放熱を前記容器本体へ伝導する熱伝導部材とが、順に積層され、
積層された前記保温保冷部材と前記熱伝導部材とを支持する支持部材と、
前記保温保冷部材の下部に設置される放熱板と、
該放熱板へ送風するファンとを有することを特徴とする請求項７記載の携帯飲料用容器。
【請求項９】
前記保温保冷部材は、ペルチェ素子を含むことを特徴とする請求項６から８のいずれか１項に記載の携帯飲料用容器。
【発明の詳細な説明】
【技術分野】
【０００１】
本発明は、合体・分離可能な携帯飲料用容器に関し、特に、２種類以上の飲料を分離した複数の容器に入れ、それぞれの容器を合体させて１つにする携帯飲料用容器に関する。
【背景技術】
【０００２】
従来の飲料用容器では、１つの飲料用容器に１種類の液体の飲料を入れるようになっており、また携帯可能な大きさとなっている。
また、旅行先などに複数の味の飲料が入った容器を持っていきたい場合には、複数の味の飲料が入った容器をそれぞれ持っていかなければならず、荷物が増えてしまうという不便が生じる。そこで、特許文献１で開示されている容器のように、合体・分離が自在であり、複数の容器に複数の液体の飲料を入れ、合体させることで１つの容器にすることができる。これにより、複数の液体の飲料が入った容器を１つの容器として持ち歩くことができ、荷物を最小限にすることが可能である。
【特許文献１】実用新案第３０１４１４４号公報
【発明の開示】
【発明が解決しようとする課題】
【０００３】
このように、複数の液体が収容可能な点において便利な点があるが、従来の飲料用容器は、保温・保冷性の機能を備えたものではない。例えば、冷たい水と温かいお茶を別々の容器に入れ、容器を合体させた際に、熱伝導で水は温かくなってしまい、お茶はぬるくなってしまうという問題がある。
【０００４】
また、分離・合体させる容器が同じ形状をしているため、どの容器にどの飲料が入っているかが外見から判断することが困難であり、一度飲んでみたり、他の容器に注いだりしなくてはならないという問題もある。
【０００５】
本発明は係る問題に鑑みてなされたものであり、保温・保冷機能を備え、一見してどの容器に何が入っているかが判別でき、複数の容器が合体・分離可能な携帯飲料用容器を提供することを目的とする。
【課題を解決するための手段】
【０００６】
上記目的を達成するために、本発明の携帯飲料用容器は、液体を収容する容器と、複数の容器が互いに合体または分離で、合体した容器を保持する保持部材とから構成することを特徴とする。
【０００７】
また、本発明の携帯飲料用容器は、容器は、液体を収容する内容器と、内容器を収容する外容器とから構成され、外容器と内容器とから断熱構造を有することを特徴とする。
【０００８】
また、本発明の携帯飲料用容器は、容器の側面には、他の容器と合体させる合体面を有し、該合体面には、複数のマグネットが設けられ、他の容器の合体面に設けられているマグネットと接着することで、容器同士が合体することを特徴とする。
【０００９】
また、本発明の携帯飲料用容器は、保持部材は、複数の容器が合体した時の形状に嵌る構成であることを特徴とする。
【００１０】
また、本発明の携帯飲料用容器は、容器本体の下部には、各容器の保温・保冷の切り替えが可能な保温・保冷装置が取り付けられていることを特徴とする。
【００１１】
また、本発明の携帯飲料用容器は、保温・保冷装置は、内部中央付近に断熱部材を配置し、該断熱部材の両側に保温保冷器が配置されていることを特徴とする。
【００１２】
また、本発明の携帯飲料用容器は、保温保冷器は、吸熱または放熱を行う保温保冷部材と、保温保冷部材が行う吸熱または放熱を容器本体へ伝導する熱伝導部材とが、順に積層され、積層された保温保冷部材と熱伝導部材とを支持する支持部材と、保温保冷部材の下部に設置される放熱板と、該放熱板へ送風するファンとを有することを特徴とする。
【００１３】
さらに、本発明の携帯飲料用容器は、保温保冷部材は、ペルチェ素子を含むことを特徴とする。
【発明の効果】
【００１４】
本発明によれば、液体を収容する容器を複数所持する場合に、複数の容器が合体または分離可能であり、合体させることで、複数の容器を１つの容器として携帯することができる。また、容器自体に保温・保冷機能が備わっており、液体の品質を落とすことなく携帯することができる。
【発明を実施するための最良の形態】
【００１５】
＜第１の実施形態＞
次に、図面を参照して、第１の実施形態に係る携帯飲料用容器について説明する。
図１は、飲料用容器１００の構成を示した図である。
図１に示すように、飲料用容器１００は、容器１０１Ａ，１０１Ｂと、容器１０１Ａ，１０１Ｂがそれぞれ備える蓋１０２Ａ，１０２Ｂと、保持部材２００と、保持部材２００に設けられている紐装着部３００と、紐３０１とから構成されている。
【００１６】
容器１０１Ａと１０１Ｂとは合体・分離が可能であり、保持部材２００を取り外すことで分離させることができる。また、容器１０１Ａと１０１Ｂとを合体させる場合には、容器１０１Ａと１０１Ｂとの合体面（図２に示す斜線部）を接着し、保持部材２００にて容器１０１Ａと１０１Ｂとを固定させる。
【００１７】
保持部材２００には、紐装着部３００と、当該紐装着部３００に装着された紐３０１が設けられている。また、例えば、長さの調節が可能な紐３０１が紐装着部３００に取り付けることで、飲料用容器の携帯を便利にさせる。
【００１８】
次に、図２を参照して、容器１０１Ａと１０１Ｂの構成について説明する。
まず、容器１０１Ａと１０１Ｂについて説明する。
なお、容器１０１Ａと１０１Ｂとは、形状・構成が同じであるため、一方を例にとって説明をする。
容器１０１Ａ（１０１Ｂ）は、容器本体部１０３と、保持部材２００を取り付けるためのネジ部１０４から構成されている。容器１０１Ａ（１０１Ｂ）は、底面が半楕円形の円筒であり、一方の容器１０１Ｂと接着する面を合体面１０５Ａとし、合体面１０５Ａ（１０５Ｂ）には複数のマグネット４００が設けられている。容器１０１Ａと１０１Ｂの合体面１０５Ａ，１０５Ｂを接着させると、マグネット４００の磁力により容器１０１Ａと１０１Ｂとが合体する仕組みとなっている。
【００１９】
ネジ部１０４の胴部径は、容器本体部１０３の胴部径よりもやや小さく、表面に保持部材２００と螺合するためのネジ１０６Ａ（１０６Ｂ）が形成されている。また、ネジ部１０４の上部には、蓋１０２Ａ（１０２Ｂ）が設けられている。
【００２０】
また、容器１０１Ａ（１０１Ｂ）は保温・保冷機能を備えた容器であり、それぞれが断熱構造を有するものである。図３に示すように、容器１０１Ａ（１０１Ｂ）とは、それぞれ、外容器１０７と内容器１０８との間を真空空間１０９とから構成される金属製の真空二重容器である。特に、外容器１０７と内容器１０８を構成する金属材料を熱伝導性の低いステンレス鋼を採用し、保温・保冷機能の高いものとする。
【００２１】
また、金属材料に採用する材料としては、ステンレス鋼以外にも合成樹脂材料やセラミックなどでもよく、さらに、断熱材料を巻きつけたり、断熱材料を充填したり、真空構造としたりしたものなど、種々の断熱構造を採用することが可能である。
【００２２】
次に、図２を参照して、携帯飲料用容器の合体・分離について説明する。
図２に示すように、容器１０１Ａと１０１Ｂとのそれぞれの合体面１０８Ａ，１０８Ｂとを合わせることで、両者に設けられているマグネット４００同士が磁力によって、接着され固定される。また、保持部材２００には、容器１０１Ａと１０１Ｂとが合体した時のネジ部１０４と螺合するネジ３０２が保持部材２００の裏側に形成されている。そして、接着した容器１０１Ａと１０１Ｂとのネジ部１０４に保持部材２００を嵌め、螺合させる。
【００２３】
また、容器１０１Ａと１０１Ｂとを分離させる場合には、容器１０１Ａと１０１Ｂとを保持している保持部材２００を取り外し、容器１０１Ａと１０１Ｂとの合体面１０８Ａ，１０８Ｂを横にスライドさせ、マグネット４００の接着をずらすことで分離が可能となる。
【００２４】
また、図４に示すように、容器１０１Ａ，１０１Ｂ，１０１Ｃといった３つを合体・分離させるようにした携帯飲料用容器でもよい。さらに、容器の形状は必ずしも円筒状でなくてもよく、例えば、直方体を合体・分離させ、直方体の形状に合わせた保持部材でもよい。
【００２５】
また、容器１０１Ａ，１０１Ｂ，１０１Ｃに液体を収容した時に、収容した液体の種類が判別できるように、容器の外形を色で区別したり、容器１０１Ａ，１０１Ｂ，１０１Ｃに設けられている蓋付近に、窓（図示せず）を設けたり、さらには、ネジ部１０４を透明化させたりする。
【００２６】
＜第２の実施形態＞
次に、図５、図６を参照して、第２の実施形態に係る携帯飲料用容器について説明する。
図５に示すように、携帯飲料用容器１００の下部には、保温保冷装置４００が設けられている。この保温保冷装置４００は、携帯飲料用容器１００の下部に、嵌合させ、または、ネジ（図示せず）によって螺合させることにより装着される。保温保冷装置４００の周面には、通風窓４０１ａ，４０１ｂが設けられている。保温保冷装置４００内部へ外気を取り込むためのものである。さらに、通風窓４０１ａ，４０１ｂの近傍には、保温・保冷の切替えスイッチ４０２ａ，４０２ｂが設けられている。
【００２７】
次に、図６を参照して、保温保冷装置４００の構成を説明する。
保温保冷装置４００は、全体に断熱効果のある素材をからなり、内部の熱を逃がさない構造となっている。保温保冷装置４００の内部中央付近には、断熱部材６００が設けられており、この断熱部材６００を挟むようにして、両側に保温保冷器５００，５００が設けられている。
【００２８】
保温保冷器５００は、熱伝導部材５０１、保温保冷部材５０２と順に積層され、これを支持部材５０４，５０４が支持している。保温保冷部材５０２の下部には、ヒートシンク５０３とファン５０５が設けられている。
【００２９】
熱伝導部材５０１は、例えば、アルミニウム等の高い熱伝導率を有する素材からなり、これによって、保温保冷部材５０２から発生する熱を容器１０１Ａ，１０１Ｂへ熱伝導する効率を高める。保温保冷部材５０２は、電子冷却素子から構成される。電子冷却素子としては、例えば、ペルチェ素子が好適である。ペルチェ素子は、ペルチェ効果を利用した素子であり、電圧が印加されると一方の面（冷却面）において熱を奪い他方の面（放熱面）からその熱を放熱する素子である。
【００３０】
また、支持部材５０４も断熱部材６００と同様に断熱効果のある素材をからなる。また、ヒートシンク５０３は、熱が拡散しやすいように設けられたものであり、保温保冷部材５０２の下部に接触している。また、ヒートシンク５０３表面に空気を供給するファン５０５が取り付けられている。ファン５０５は、通風窓４０１ａ，４０１ｂから流れる空気をヒートシンク５０３表面へ供給する。
【００３１】
使用者に際しては、切替えスイッチ４０２ａ，４０２ｂによって、容器１０１Ａと１０１Ｂの片方を保温、一方を保冷、または両方を保温または保冷といった選択をすることができる。例えば、容器１０１Ａ内の飲料を保温したい場合には、切替えスイッチ４０２ａを「保温」側へ切り替える。逆に、保冷したい場合には、切替えスイッチ４０２ａを「保冷」側へ切り替える。切替えスイッチ４０２ａの切り替え動作によって、保温保冷部材５０２へ流れる電流の向きが変化し、保温・保冷を切替えることができる。
【００３２】
保温保冷部材５０２及びファン５０５は、ケーブル７００を介して電源アダプタ７０１から供給される電力により駆動される。電源アダプタ７０１は、電源プラグ７０２が交流電源（ＡＣ１００Ｖ等）に差し込まれて使用され、交流電圧を直流電圧に変換して保温保冷部材５０２及びファン５０５へ供給する。また、電源アダプタ７０１を自動車用電源コネクタに代えることにより電力を得ることもできる。さらに、保温保冷装置４００に充電機能（図示せず）を備えることで、電源のない状況下でも保温保冷の延長を可能とすることができる。
【００３３】
以上の説明から、本実施形態によれば、保温・保冷機能を有する容器１０１Ａ（１０１Ｂにそれぞれ異なる液体を収容することができ、さらに、容器１０１Ａと１０１Ｂとを合体させ、保持部材２００で保持させることで、携帯に便利となる。また、容器１０１Ａ（１０１Ｂ）には、断熱性が有り、合体させても互いの液体を温めたり、冷ましたりすることがなく、長時間の携帯でも液体の品質を落とすことがない。
【００３４】
また、複数の容器を色で区別したり、窓を設けたりすることで収容されている液体の種類を判別することができる。
【００３５】
さらに、携帯飲料用容器１００の下部に保温保冷装置４００を装着することで、保温・保冷時間を延長することができ、長時間の保温・保冷を維持することができる。
【図面の簡単な説明】
【００３６】
【図１】第１の実施形態に係る携帯飲料用容器の構成を示した図である。
【図２】図１に示す携帯飲料用容器の分解斜視図である。
【図３】図２に示す容器の断面図である。
【図４】複数の容器を合体させる様子を示した図である。
【図５】第２の実施形態に係る携帯飲料用容器の構成を示した図である。
【図６】保温・保冷装置の断面図である。
【符号の説明】
【００３７】
１００    携帯飲料用容器
１０１Ａ、１０１Ｂ    容器
１０２Ａ、１０２Ｂ    蓋
１０３    容器本体部
１０４    ネジ部
１０５Ａ、１０５Ｂ    合体面
１０６Ａ、１０５Ｂ、３０２    ネジ
１０７    外容器
１０８    内容器
１０９    真空空間
２００    保持部材
３００    紐装着部
３０１    紐
４００    保温保冷装置
４０１ａ、４０１ｂ    通風窓
４０２ａ、４０２ｂ    切替えスイッチ
５００    保温保冷器
５０１    熱伝導部材
５０２    保温保冷部材
５０３    ヒートシンク
５０４    ファン
６００    断熱部材
【図１】
2008150056.tif 000003
【図２】
2008150056.tif 000004
【図３】
2008150056.tif 000005
【図４】
2008150056.tif 000006
【図５】
2008150056.tif 000007
【図６】
2008150056.tif 000008